(57)【特許請求の範囲】
【請求項１】
地上に設置される落下式動物捕獲装置であって、多角形のコーナー位置に立設したコーナー支柱と、各コーナー支柱間の略中心位置に立設したセンター支柱と、各コーナー支柱およびセンター支柱に昇降可能に配置された昇降ガイドと、コーナー支柱の昇降ガイドとセンター支柱の昇降ガイドとの間に張設された連結ロープと、地面と対向するように各昇降ガイドと連結ロープとに張設された捕獲ネットと、センター支柱において捕獲ネットを吊り上げる手段と、センター支柱において吊り上げた捕獲ネットを上部に固定する固定手段と、この固定状態を解除する解除手段と、を有することを特徴とする落下式動物捕獲装置。
【請求項２】
前記連結ロープが両端にフックの付いた各種長を有するロープを組み合わせることにより構成されることを特徴とする請求項１に記載の落下式動物捕獲装置。
【発明の詳細な説明】
【技術分野】
【０００１】
本発明は、農林業に被害を与える鹿や猪等の動物（害獣）を捕獲する装置に関する。
【背景技術】
【０００２】
近年、害獣による農林業被害は全国的に見られるようになってきており、その被害は拡大の一途をたどり、社会問題化している。このため獣害防止柵の設置が官民を問わず積極的に進められ、被害防止に努めている。
また、乱開発、異常気象に伴う自然環境の変化、耕作放棄地の増加等による害獣の生息環境の変化に伴い、予想外の固体数異常増加が見られるようになり、捕獲駆除も積極的に進めなければならない状況となっている。
【０００３】
従来、捕獲駆除については猟銃による方法や囲いわなや箱わなによる方法等が一般的に用いられてきたが、猟銃による方法は所持規制の強化により、その免許を有する者が著しく減少している。また、囲いわなや箱わなによる方法によっても、その形態や害獣の警戒心から一度に複数匹を捕獲することは稀であり、あまり効率的とは言えない。
このため、害獣の視覚を遮断することなく警戒心を与えない方法、また、一度に複数匹を捕獲する方法としてネット落下式の捕獲方法が考えられている。
特許文献１に示すものは大型の捕獲ネットを確実に支持し、適時に落下させることができる落下装置、特許文献２に示すものは好適に動物を捕獲することが可能なシンプルな構成の動物捕獲装置、特許文献３に示すものは有害動物の通り道の上方に枠体を吊設し、その場所に動物が来ると感知器が感知し枠体を落下させる有害動物捕獲装置である。
【先行技術文献】
【特許文献】
【０００４】
【特許文献１】実用新案登録第３１６３２７２号公報
【特許文献２】実用新案登録第３１７１２２５号公報
【特許文献３】特開２００９−１１２２４７号公報
【発明の概要】
【発明が解決しようとする課題】
【０００５】
動物は視覚や臭覚によって安全確認し行動している。このため囲いわなや箱わなには警戒してなかなか近寄らない。
このため視界を遮ることのないネット落下式の捕獲方法が考えられている。
しかしながら、野外に設置される捕獲装置は厳しい自然環境の中にあるため、各所に不具合が発生しやすい。すなわち風雨や紫外線や降雪に曝されることは勿論、部材の腐食や塵埃の付着等によって動作不良が生ずることがある。
また、捕獲時（ネット落下時）における風の影響も大きく、捕獲ネットが所定の位置に鉛直落下せず捕獲を逃すことや捕獲ネットの固定点が多数であることから、固定解除のタイミングが適時になされないため捕獲を逃す等が報告されている。
本発明は以上のような点に鑑み、動作不良の生じにくい簡易な構造で、かつ捕獲効率の高い構造を提供することを目的としている。
【課題を解決するための手段】
【０００６】
上記目的を達成するために本発明は、多角形のコーナー位置に立設したコーナー支柱と、各コーナー支柱間の略中心位置に立設したセンター支柱と、各コーナー支柱およびセンター支柱に昇降可能に配置された昇降ガイドと、コーナー支柱の昇降ガイドとセンター支柱の昇降ガイドとの間に張設された連結ロープと、地面と対向するように各昇降ガイドと連結ロープとに張設された捕獲ネットと、センター支柱において捕獲ネットを吊り上げる手段と、センター支柱において吊り上げた捕獲ネットを上部に固定する固定手段と、この固定状態を解除する解除手段とで落下式動物捕獲装置を構成している。
【０００７】
平面形状は原則として四角形とするが、設置場所に適した多角形とすることも考えられる。なお、本発明は支柱を打ち替えることにより設置場所を容易に移動することができる可動式構造としての運用を原則とするものであり、装置の構成部材数を必要最小限に止めるよう配慮した。
【発明の効果】
【０００８】
本発明における重要構造、すなわち落下式捕獲ネットの昇降駆動機能をセンター支柱部の一箇所に集約したため当該駆動装置を重点管理すればよく、維持管理が容易になる。
すなわち本発明の構造は、吊り上げ装置とセンター支柱昇降ガイドの挙動に他の構造が追随するようになっているためである。
センター支柱とセンター支柱昇降ガイドとの間には遊間があるため、吊り上げ装置による固定を解除すればセンター支柱昇降ガイドは重力落下する。またコーナー支柱昇降ガイドはローラーを有する構造であり、センター支柱昇降ガイドと連結ロープにより結合されていることによる牽引力（ローラーを有するため滑動抵抗は非常に小さい）および重力落下により昇降するものである。
なお、センター支柱昇降ガイドおよびコーナー支柱昇降ガイドは、図示するように簡易な構造であるため、動作不良が生ずることはない。
【０００９】
落下式捕獲ネットは各支柱に昇降可能な状態で取り付けられているため、風の影響に関わりなく所定の位置に鉛直落下させることができることや、設置環境に応じた吊り上げ高の調整によりコーナー支柱昇降ガイドの高さ、すなわち、捕獲ネットの外周高を連結ロープの組み合わせを変えることにより自在に設定することができるため、動物の警戒心を薄め捕獲効率を高めることができる構造である。
また、捕獲した害獣による捕獲ネットの損傷が生じない限り、再設置は捕獲ネットの昇降作業だけでよく、作業効率も優れているといえる。
【００１０】
構造力学の見地から見ても、多角形の外周のみに自立支柱を配置し捕獲ネットを支持する従来の方法より、本発明の構造形式の方が支柱に作用する曲げモーメントは小さくなる。すなわち多角形の中心位置にセンター支柱を配置したことや結合ロープによりセンター支柱とコーナー支柱とを結合したことから上載荷重（ネット自重や積雪等）が鉛直荷重として支柱に分散作用するからである。
このことは支柱本数の減少に繋がり経済的であるとともに、間口が広くなり圧迫感を無くすとともに動物の警戒心を薄め、近寄りやすくする効果も生むものである。
【図面の簡単な説明】
【００１１】
【図１】本発明における一実施形態の概姿を示す斜視図である。
【図２】図１に示す一実施形態の平面図である。
【図３】図２に示すセンター支柱部およびコーナー支柱部における昇降ガイドの詳細平面図である。
【図４】図３に示すセンター支柱部およびコーナー支柱部における昇降ガイドの詳細側面図である。
【図５】連結ロープの詳細図である。
【図６】吊り上げ装置を示すものであり、（ａ）はセンター支柱上端部に吊り上げられた状況を示す側面図であり、（ｂ）は平面図である。
【図７】吊り上げ装置およびセンター支柱昇降ガイドを示すものであり、図６（ａ）の左側から見た側面図である。
【図８】捕獲要領を示すものであり、（ａ）は捕獲ネットが地上にある状況、（ｂ）は吊り上げ装置により地上に吊り上げられた捕獲ネットが所定の位置に固定されている状況、（ｃ）は害獣が捕獲ネットの下位に侵入し、吊り上げ装置と捕獲ネットが分離され落下する状況、（ｄ）は捕獲ネットが落下し害獣を捕獲した状況を示す概念図である。
【発明を実施するための形態】
【００１２】
以下、本発明の実施の形態を図に基づいて説明する。
【実施例】
【００１３】
落下式捕獲ネットによる捕獲方法は、動物の視覚による安全確認行動を逆手に取ったものであり、捕獲ネットの下位に大きな空間を設けることが必要となる。
このため捕獲ネットを空中において支持する部位として支柱が必要となる。
図１に示す実施例における平面形状は四角形であり、コーナー４点と中心位置１点に支柱を立設する。
【００１４】
支柱の立設方法としては、打設による方法や先行削孔し建て込む方法等があり、支柱の長さや地盤の状況、また、施工環境を踏まえて選択する必要がある。
捕獲ネットを空中に吊り上げる時には支柱に水平力が作用するので、支柱はこれに耐える部材でなければならない。また、固定点（地盤面）に変位が生じないように十分な根入れの確保、根固め等が必要になる場合もある。
【００１５】
実施例における四角形の辺長は２０ｍ程度、地盤面と捕獲ネット外周部の高さは２ｍ程度、支柱は鋼管支柱でありセンター支柱１の外径は６０ｍｍ程度、コーナー支柱２の外径は５０ｍｍ程度、捕獲ネット８はステンレス線が編み込まれ補強されたものを使用している。なお、本発明は設置場所を容易に移動することができる可動式構造としての運用を原則とするものであり、四角形の辺長が１０〜２０ｍ程度のものに適用できる部材により構成されている。支柱は打ち替え、捕獲ネットの余分は巻き取りにより対処する。
【００１６】
図２は実施例の平面形状を示すものであり、センター支柱１には図７に示す通り上位に吊り上げ装置５、下位にセンター支柱昇降ガイド３が取り付けられる。
コーナー支柱２にはコーナー支柱昇降ガイド４が取り付けられる。
センター支柱昇降ガイド３とコーナー支柱昇降ガイド４とは連結ロープ６により結合されているため、センター支柱昇降ガイド３が吊り上げられれば、これに引っ張られてコーナー支柱昇降ガイド４も吊り上げられる。
センター支柱１を多角形の中心位置に立設するのは、吊り上げ時におけるコーナー支柱２に作用する牽引力（張力の水平分力）を均等に分配するためである。
なお、連結ロープ６は、両端にフックの付いた各種長を有するロープ７を組み合わせることにより構成されている。
【００１７】
図３、図４はセンター支柱昇降ガイド３およびコーナー支柱昇降ガイド４の詳細を示すものである。
センター支柱昇降ガイド３の材質は鉄板であり、センター支柱１の外径に対し所定の遊間が確保できるように加工されている。この遊間は捕獲ネット８の落下時に支柱と接触して動作不良を起こすことのないよう十分な値を確保し、スムーズに落下させるために重要なものである。
コーナー支柱昇降ガイド４は、図に示す通りローラーが付いているため滑動抵抗は小さく、センター支柱昇降ガイド３の動きに容易に追随する。なお、ローラーの径はコーナー支柱２の外径に適合する製品を選択採用する。
なお、捕獲ネット８は連結ロープ６の上位に張設する。
【００１８】
図５は連結ロープ６の詳細を示すものである。
この連結ロープの材質は高張力グラスファイバーであり、強くて軽く、伸びも錆も発生することがなく、耐候性に優れているという特徴を有している。
この連結ロープを使用する目的は、厳しい自然環境の中に設置される構造物であることや捕獲ネットを支えるとともに昇降機能を維持するための重要な部材であること等を考慮したものである。
【００１９】
この連結ロープは図５に示す通り、両端にフックの付いた各種長のものを組み合わせること（フックの脱着）により、所定の長さを構成することを特徴とするものである。
このことにより、移設に伴い必要な連結ロープ６の長さが変わった場合、組み合わせを変えるだけで所定の長さが得られ加工が不要となり、切断によるロスを無くすこともできる。また、捕獲ネットの張設程度の調整、動物捕獲後のネットの復旧等が容易に行える。
なお捕獲ネット８は、この連結ロープ６に結束用ロープや結束バンド等によって取り付けるものである。
【００２０】
図６、図７は吊り上げ装置５の詳細を示すものである。
吊り上げ装置５は、センター支柱昇降ガイド３を吊り上げるためのものであり、支柱内部に配された吊り上げ用ロープ１０により巻上げ装置１２と繋がっており、巻上げ装置１２を操作することにより昇降するものである。吊り上げ用ロープ１０の屈曲点には滑車１１を配し、スムーズな動作を確保する。
吊り上げ装置５の材質は鉄板であり、センター支柱１の外径に対し所定の遊間が確保できるように加工されている。また、吊り上げ装置５には電磁マグネット9が取り付けられており、この磁力によってセンター支柱昇降ガイド３を吸着し、所定の位置まで吊り上げる。この際、コーナー支柱昇降ガイド４も連結ロープ６により結合されているため吊り上げられる。
そして捕獲の適時に、この磁力を脱磁すればセンター支柱昇降ガイド３はコーナー支柱昇降ガイド４とともに重力により落下する。
センター支柱１の上部には吊り上げ装置５の離脱を防止するための上部ストッパー１４、下部にはセンター支柱昇降ガイド３の落下止として下部ストッパー１５が取り付けられている。
なお、支柱内部には電磁マグネット9を操作するための電気線１６を配する。
【００２１】
電磁マグネット９には、永久磁石と電磁マグネットコイルをマグネットケース内に組み込み、通常は永久磁石で吸着し、マグネットコイルに通電することによって、反磁極を発生させて、マグネット外に発生していた磁力を遮断してしまうタイプや、一度通電するとマグネットが磁化され永久磁石となり、もう一度通電すると、永久磁石が脱磁され磁力を遮断してしまう脱着磁式タイプ等がある。
これらの永電磁マグネットを利用することにより電力消費を必要最小限とすることができる。
【００２２】
捕獲の適時監視は人為的に行う方法、赤外線カメラによる方法、感知センサーによる方法等がある。
動物の出没は、その種類や地域環境や季節等によって異なるが、その警戒心が薄れるのは夜間である。このため、人為による現場常駐監視は困難なことが多く監視装置１３による機器監視とすることが多い。
【００２３】
近年、ソレノイドアクチュエータやＷｉ-Ｆｉ等を利用した遠隔監視、遠隔操作の技術や感知センサーの出力に応じて自動的にスイッチの切換ができる技術等が著しく発達しており、害獣の出没状況や設置現場の状況等に応じて適宜監視方法を決定するものとする。なお、監視小屋を設け巻上げ装置１２や監視装置１３等の操作機器を一箇所にまとめれば効率よく管理ができる。
【００２４】
図８は捕獲の要領を示す概念図であり、（ａ）は捕獲ネットが地上にある状況、（ｂ）は吊り上げ装置により地上に吊り上げられた捕獲ネットが所定の位置に固定されている状況、（ｃ）は害獣が捕獲ネットの下位に侵入し、吊り上げ装置と捕獲ネット（昇降ガイド）が分離され落下する状況、（ｄ）は捕獲ネットが落下し害獣を捕獲した状況を示すものである。
【産業上の利用可能性】
【００２５】
本発明の落下式害獣捕獲装置は、従来の同規模の落下式捕獲装置に比べ、比較的シンプルな構造となっている。これは落下式捕獲ネットの昇降駆動機能をセンター支柱部の一箇所に集約したことや、ワイヤーロープを捕獲ネット取り付けのための骨組み部材とし利用していることによる。
従来の事例によれば多支柱により捕獲ネットを支持しているため圧迫感があり、害獣が近寄り難い構造であったが、本考案によれば間口が大きくなり害獣の警戒心は薄れる。
電磁マグネットに関わる装置と監視に関わる装置を除けば特殊な構成部品は無く、一般的な市場流通品によって構築できる本発明の落下式害獣捕獲装置は経済性、施工性、維持管理等において優れており、害獣の複数捕獲も期待でき、費用対効果は大きくなる。
【符号の説明】
【００２６】
１：センター支柱
２：コーナー支柱
３：センター支柱昇降ガイド
４：コーナー支柱昇降ガイド
５：吊り上げ装置
６：連結ロープ
７：両端にフックの付いた各種長を有するロープ
８：捕獲ネット
９：電磁マグネット
10：吊り上げ用ロープ
11：滑車
12：巻上げ装置
13：監視装置
14：上部ストッパー
15：下部ストッパー
16：電気線 
【図１】
0005495451.tif 000002
【図２】
0005495451.tif 000003
【図３】
0005495451.tif 000004
【図４】
0005495451.tif 000005
【図５】
0005495451.tif 000006
【図６】
0005495451.tif 000007
【図７】
0005495451.tif 000008
【図８】
0005495451.tif 000009